(57)【要約】【課題】携帯端末であっても、デジタル放送によるストリーミングコンテンツを容易に作成することができるダイジェストコンテンツ作成方法等を提供する。【解決手段】デジタル放送には、ストリーミングコンテンツにおける注目時点を表すハイライトイベントが含まれる。携帯端末は、複数の部分コンテンツを蓄積する部分コンテンツ蓄積手段と、ストリーミングコンテンツを受信順に先入れ先出し形式で蓄積する小容量のバッファメモリ手段と、ハイライトイベントを検出した際に、バッファメモリ手段へ、当該バッファメモリ手段に蓄積されている部分コンテンツを部分コンテンツ蓄積手段へ出力するべく指示するメモリ制御手段と、部分コンテンツ蓄積手段に蓄積された複数の部分コンテンツを時系列に連結し、ダイジェストコンテンツを生成するダイジェストコンテンツ作成手段とを有する。【選択図】図２
2010226434.tif 000002
【特許請求の範囲】
【請求項１】
ストリーミングコンテンツを含むデジタル放送を受信する携帯端末であって、
前記デジタル放送には、前記ストリーミングコンテンツにおける注目時点を表すハイライトイベントが含まれており、
前記デジタル放送から前記ハイライトイベントを検出するイベント検出手段と、
複数の部分コンテンツを蓄積する部分コンテンツ蓄積手段と、
前記ストリーミングコンテンツを受信順に先入れ先出し形式で蓄積する小容量のバッファメモリ手段と、
前記ハイライトイベントを検出した際に、前記バッファメモリ手段へ、当該バッファメモリ手段に蓄積されている部分コンテンツを前記部分コンテンツ蓄積手段へ出力するべく指示するメモリ制御手段と、
前記部分コンテンツ蓄積手段に蓄積された複数の部分コンテンツを時系列に連結し、ダイジェストコンテンツを生成するダイジェストコンテンツ作成手段と
を有することを特徴とする携帯端末。
【請求項２】
前記デジタル放送が、ＩＰ(Internet Protocol)データキャストである場合、前記ハイライトイベントは、ＤＴＤ(Document Type Definition)によって記述されることを特徴とする請求項１に記載の携帯端末。
【請求項３】
前記デジタル放送が、地上波／衛星デジタル放送である場合、前記ハイライトイベントは、汎用イベントメッセージ記述子におけるプライベートデータ部分に記述されることを特徴とする請求項１に記載の携帯端末。
【請求項４】
前記ハイライトイベントは、イベントタイトルを更に含み、
前記メモリ制御手段は、前記イベントタイトルを関連付けて前記部分コンテンツを前記部分コンテンツ蓄積手段へ出力するべく指示し、
前記ダイジェストコンテンツ作成手段は、ユーザによって指定されたイベントタイトルに一致する前記部分コンテンツのみを連結する
ことを特徴とする請求項１から３のいずれか１項に記載の携帯端末。
【請求項５】
ストリーミングコンテンツを含むデジタル放送を受信する携帯端末におけるダイジェストコンテンツ作成方法であって、
前記デジタル放送には、前記ストリーミングコンテンツにおける注目時点を表すハイライトイベントが含まれており、
前記携帯端末は、複数の部分コンテンツを蓄積する部分コンテンツ蓄積部と、前記ストリーミングコンテンツを受信順に先入れ先出し形式で蓄積する小容量のバッファメモリとを有しており、
前記デジタル放送から前記ハイライトイベントを検出する第１のステップと、
前記ハイライトイベントを検出した際に、前記バッファメモリへ、当該バッファメモリに蓄積されている部分コンテンツを前記部分コンテンツ蓄積部へ出力するべく指示する第２のステップと、
第１のステップ及び第２のステップを繰り返した後、前記部分コンテンツ蓄積部に蓄積された複数の部分コンテンツを時系列に連結し、ダイジェストコンテンツを生成する第３のステップと
を有することを特徴とするダイジェストコンテンツ作成方法。
【請求項６】
前記デジタル放送が、ＩＰデータキャストである場合、前記ハイライトイベントは、ＤＴＤによって記述されることを特徴とする請求項５に記載のダイジェストコンテンツ作成方法。
【請求項７】
前記デジタル放送が、地上波／衛星デジタル放送である場合、前記ハイライトイベントは、汎用イベントメッセージ記述子におけるプライベートデータ部分に記述されることを特徴とする請求項５に記載の携帯端末。
【請求項８】
前記ハイライトイベントは、イベントタイトルを更に含み、
第２のステップは、前記イベントタイトルを関連付けて前記部分コンテンツを前記部分コンテンツ蓄積部へ出力するべく指示し、
第３のステップは、ユーザによって指定されたイベントタイトルに一致する前記部分コンテンツのみを連結する
ことを特徴とする請求項５から７のいずれか１項に記載のダイジェストコンテンツ作成方法。
【請求項９】
ストリーミングコンテンツを含むデジタル放送を受信する携帯端末に搭載されたコンピュータを機能させるプログラムにおいて、
前記デジタル放送は、前記ストリーミングコンテンツにおける注目部分を表すハイライトイベントを更に含み、
１つ以上の部分コンテンツを蓄積する部分コンテンツ蓄積手段と、
前記ストリーミングコンテンツよりも小さい容量であって、前記ストリーミングコンテンツを受信順に先入れ先出し形式で蓄積するバッファメモリ手段と、
前記デジタル放送に含まれるイベントを検出した際に、前記バッファメモリ手段に蓄積されている部分コンテンツを、前記部分コンテンツ蓄積手段へ出力することを指示するメモリ制御手段と、
前記部分コンテンツ蓄積手段に蓄積された複数の部分コンテンツを時系列に連結し、ダイジェストコンテンツを生成するダイジェストコンテンツ作成手段と
してコンピュータを機能させることを特徴とする携帯端末用のプログラム。
【発明の詳細な説明】
【技術分野】
【０００１】
本発明は、ストリーンミングコンテンツからダイジェストコンテンツを作成する携帯端末、方法及びプログラムに関する。
【背景技術】
【０００２】
デジタル放送の発展に伴って、様々な番組のストリーミングコンテンツが放送されている。ストリーミングコンテンツとは、主に動画映像及び音声からなる時系列のパケットであって、受信と同時に再生することができるフォーマットを有する。視聴者は、チューナ機能を有する端末を所持し、ストリーミングコンテンツを視聴することができる。また、視聴者は、ＤＶＤ(Digital Video Disk)又はハードディスクを搭載した端末を用いることにより、そのストリーミングコンテンツを録画することもできる。
【０００３】
視聴者は、ストリーミングコンテンツを録画しても、全ての放送内容を視聴したいとは限らず、そのストリーミングコンテンツにおける注目部分のみを視聴できればよいとする場合も多い。例えば、野球中継などのスポーツ番組の場合、得点シーンのような試合の勝敗を左右する場面のみを視聴したい場合もある。また、ドラマや映画番組の場合、概略的な注目シーンだけを把握したい場合もある。このような場合、利用者は、通常、視聴したくないシーンを早送りして、視聴する。
【０００４】
これに対し、放送されたストリーンミングコンテンツから、ダイジェストコンテンツを作成する技術がある（例えば特許文献１参照）。この技術によれば、放送局は、切り出し部分に対応するダイジェスト情報も送信する。端末は、放送されたストリーミングコンテンツを全て、ハードディスクに録画する。そして、端末は、ダイジェスト情報に基づいて、ストリーミングコンテンツを切り出し、切り出された部分コンテンツを連結してダイジェストコンテンツを作成する。
【先行技術文献】
【特許文献】
【０００５】
【特許文献１】特開２００３−１４３５５８号公報
【発明の概要】
【発明が解決しようとする課題】
【０００６】
特許文献１に記載された技術によれば、端末は、そのストリーミングコンテンツを全て録画するための記憶容量を必要とする。少なくともハードディスクのような大容量の記憶装置を必要とする。しかしながら、携帯電話機に代表される携帯端末では、装置容量の制約から、大容量の記憶装置を備えることが難しい。また、ダイジェスト編集のために一時的に蓄積するメモリの制約もある。
【０００７】
そこで、本発明は、小容量のメモリしか搭載していない携帯端末であっても、デジタル放送によるストリーミングコンテンツのダイジェストを容易に作成することができる携帯端末、方法及びプログラムを提供することを目的とする。
【課題を解決するための手段】
【０００８】
本発明によれば、ストリーミングコンテンツを含むデジタル放送を受信する携帯端末であって、
デジタル放送には、ストリーミングコンテンツにおける注目時点を表すハイライトイベントが含まれており、
デジタル放送からハイライトイベントを検出するイベント検出手段と、
複数の部分コンテンツを蓄積する部分コンテンツ蓄積手段と、
ストリーミングコンテンツを受信順に先入れ先出し形式で蓄積する小容量のバッファメモリ手段と、
ハイライトイベントを検出した際に、バッファメモリ手段へ、当該バッファメモリ手段に蓄積されている部分コンテンツを部分コンテンツ蓄積手段へ出力するべく指示するメモリ制御手段と、
部分コンテンツ蓄積手段に蓄積された複数の部分コンテンツを時系列に連結し、ダイジェストコンテンツを生成するダイジェストコンテンツ作成手段と
を有することを特徴とする。
【０００９】
本発明の携帯端末における他の実施形態によれば、
デジタル放送が、ＩＰ(Internet Protocol)データキャストである場合、ハイライトイベントは、ＤＴＤ(Document Type Definition)によって記述されることも好ましい。
【００１０】
本発明の携帯端末における他の実施形態によれば、
デジタル放送が、地上波／衛星デジタル放送である場合、ハイライトイベントは、汎用イベントメッセージ記述子におけるプライベートデータ部分に記述されることも好ましい。
【００１１】
本発明の携帯端末における他の実施形態によれば、
ハイライトイベントは、イベントタイトルを更に含み、
メモリ制御手段は、イベントタイトルを関連付けて部分コンテンツを部分コンテンツ蓄積手段へ出力するべく指示し、
ダイジェストコンテンツ作成手段は、ユーザによって指定されたイベントタイトルに一致する部分コンテンツのみを連結する
ことも好ましい。
【００１２】
本発明によれば、ストリーミングコンテンツを含むデジタル放送を受信する携帯端末におけるダイジェストコンテンツ作成方法であって、
デジタル放送には、ストリーミングコンテンツにおける注目時点を表すハイライトイベントが含まれており、
携帯端末は、複数の部分コンテンツを蓄積する部分コンテンツ蓄積部と、ストリーミングコンテンツを受信順に先入れ先出し形式で蓄積する小容量のバッファメモリとを有しており、
デジタル放送からハイライトイベントを検出する第１のステップと、
ハイライトイベントを検出した際に、バッファメモリへ、当該バッファメモリに蓄積されている部分コンテンツを部分コンテンツ蓄積部へ出力するべく指示する第２のステップと、
第１のステップ及び第２のステップを繰り返した後、部分コンテンツ蓄積部に蓄積された複数の部分コンテンツを時系列に連結し、ダイジェストコンテンツを生成する第３のステップと
を有することを特徴とする。
【００１３】
本発明のダイジェストコンテンツ作成方法における他の実施形態によれば、
デジタル放送が、ＩＰデータキャストである場合、ハイライトイベントは、ＤＴＤによって記述されることも好ましい。
【００１４】
本発明のダイジェストコンテンツ作成方法における他の実施形態によれば、
デジタル放送が、地上波／衛星デジタル放送である場合、ハイライトイベントは、汎用イベントメッセージ記述子におけるプライベートデータ部分に記述されることも好ましい。
【００１５】
本発明のダイジェストコンテンツ作成方法における他の実施形態によれば、
ハイライトイベントは、イベントタイトルを更に含み、
第２のステップは、イベントタイトルを関連付けて部分コンテンツを部分コンテンツ蓄積部へ出力するべく指示し、
第３のステップは、ユーザによって指定されたイベントタイトルに一致する部分コンテンツのみを連結する
ことも好ましい。
【００１６】
本発明によれば、ストリーミングコンテンツを含むデジタル放送を受信する携帯端末に搭載されたコンピュータを機能させるプログラムにおいて、
デジタル放送は、ストリーミングコンテンツにおける注目部分を表すハイライトイベントを更に含み、
１つ以上の部分コンテンツを蓄積する部分コンテンツ蓄積手段と、
ストリーミングコンテンツよりも小さい容量であって、ストリーミングコンテンツを受信順に先入れ先出し形式で蓄積するバッファメモリ手段と、
デジタル放送に含まれるイベントを検出した際に、バッファメモリ手段に蓄積されている部分コンテンツを、部分コンテンツ蓄積手段へ出力することを指示するメモリ制御手段と、
部分コンテンツ蓄積手段に蓄積された複数の部分コンテンツを時系列に連結し、ダイジェストコンテンツを生成するダイジェストコンテンツ作成手段と
してコンピュータを機能させることを特徴とする。
【発明の効果】
【００１７】
本発明の携帯端末、方法及びプログラムによれば、ダイジェスト編集のための部分コンテンツを逐次切り出すことができるので、小容量のメモリしか搭載していない携帯端末であっても、デジタル放送によるストリーミングコンテンツのダイジェストを容易に作成することができる。また、ストリーミングコンテンツの放送が終了する前であっても、その時点までのダイジェストコンテンツを、放送番組に遡って視聴することができる。
【図面の簡単な説明】
【００１８】
【図１】本発明におけるシステム構成図である。
【図３】本発明におけるダイジェストコンテンツを作成するまでの説明図である。
【図２】本発明における端末の機能構成図である。
【図４】ＩＰデータキャストにおけるハイライトイベントの記述例である。
【図５】地上波／衛星デジタル放送におけるハイライトイベントの記述例である。
【図６】ダイジェストコンテンツの連結を表す説明図である。
【発明を実施するための形態】
【００１９】
以下、本発明の実施の形態について、図面を用いて詳細に説明する。
【００２０】
図１は、本発明におけるシステム構成図である。
【００２１】
図１によれば、放送局４は、放送番組のストリーミングコンテンツを放送する。ストリーミングコンテンツは、地上波放送アンテナ２又は放送衛星３を介して、携帯端末１によって受信される。携帯端末１は、地上波放送アンテナ２から、ＩＰデータキャスト又は地上波デジタル放送によってストリーミングコンテンツを受信する。また、放送衛星３から、衛星デジタル放送によってストリーミングコンテンツを受信する。
【００２２】
ＩＰデータキャストとは、ＩＰプロトコルによってデータを一斉配信する技術であり、例えばＭｅｄｉａＦＬＯ(メディアフロー)又はＩＳＤＢ−Ｔがある。ＭｅｄｉａＦＬＯは、ＩＴＵ(International
Telecommunication Union：国際電気通信連合)勧告で国際標準化された携帯端末向け多チャンネル放送サービスである。ＩＳＤＢ−Ｔは、ＡＲＩＢ(社団法人電波産業会）によって策定された地上波デジタル放送の規格である。
【００２３】
また、放送局は、ストリーミングコンテンツにおける注目部分を表すハイライトイベントを放送する。ハイライトイベントは、ＩＰデータキャストによって送信されるものであってもよいし、ストリーミングコンテンツと一緒に送信されるものであってもよい。ハイライトイベントは、ストリーミングコンテンツの放送中に、注目時点でのみ送信される。例えば、スポーツ番組の場合、例えば「得点シーン」でハイライトイベントが送信されてもよい。また、ドラマ又は映画の場合、ハイライトシーンが把握できているので、ストリーミングコンテンツに当初から多重化しておくことができる。
【００２４】
ハイライトイベントは、ストリーミングコンテンツに多重化される。ＩＰデータキャストの場合、ハイライトイベントは、ＤＴＤ(Document Type Definition)によって記述される。また、地上波／衛星デジタル放送の場合、汎用イベントメッセージ記述子におけるプライベートデータ部分に記述される。
【００２５】
図２は、本発明におけるダイジェストコンテンツを作成するまでの説明図である。
【００２６】
ダイジェストコンテンツとは、注目時点（ハイライト）を含む部分コンテンツを複数個、時系列に連結したものである。これによって、視聴者は、ストリーミングコンテンツの中のハイライトシーンのみを短時間で視聴することができる。
【００２７】
図２によれば、時間方向に受信されていくストリーミングコンテンツと、バッファメモリと、部分コンテンツ蓄積部とが表されている。バッファメモリは、小容量であって、ストリーミングコンテンツを受信順に、ＦＩＦＯ(First In First Out：先入れ先出し)形式で蓄積する。部分コンテンツ蓄積部は、ハイライトシーンを含む部分コンテンツを複数個、蓄積する。
【００２８】
図２（ａ）によれば、時間方向にストリーンミングコンテンツが受信されており、先入れ先出し形式のバッファメモリに入力される。
【００２９】
図２（ｂ）によれば、時間経過と共に、バッファメモリに蓄積される部分コンテンツも更新されていく。先入れ先出しによって、バッファメモリから溢れた部分コンテンツは、破棄される。
【００３０】
図２（ｃ）によれば、時間経過と共に、バッファメモリに蓄積される部分コンテンツも更新されていく。この時点で、ハイライトイベントを検出したとする。この時、端末は、バッファメモリに含まれる部分コンテンツを全て、部分コンテンツ蓄積部へ出力する。これによって、ハイライトイベントの受信時点から過去に遡って、バッファメモリの容量分の部分コンテンツが、部分コンテンツ蓄積部に蓄積される。例えば、野球中継のシーンの場合、選手がホームベースを踏んで得点された後にハイライトイベントを受信することによって、過去に遡って、どのようにして得点されたかを表す過程のシーンを部分コンテンツとして視聴することができる。
【００３１】
図２（ｄ）によれば、時間経過と共に、バッファメモリに蓄積されている部分コンテンツも更新されていく。
【００３２】
図２（ｅ）によれば、時間経過と共に、バッファメモリに蓄積されている部分コンテンツも更新されていく。この時点で、ハイライトイベントを検出したとする。この時、端末は、バッファメモリに含まれる部分コンテンツを全て、部分コンテンツ蓄積部へ出力する。
【００３３】
図２（ｆ）によれば、時間経過と共に、バッファメモリに蓄積されている部分コンテンツが更新されていく。
【００３４】
図２（ｇ）によれば、時間経過と共に、バッファメモリに蓄積されている部分コンテンツも更新されていく。この時点で、ハイライトイベントを検出したとする。この時、端末は、バッファメモリに含まれる部分コンテンツを全て、部分コンテンツ蓄積部へ出力する。
【００３５】
図２（ｈ）によれば、部分コンテンツ蓄積部に蓄積された複数の部分コンテンツを、時系列に連結する。これによって、ダイジェストコンテンツが生成される。
【００３６】
図３は、本発明における端末の機能構成図である。
【００３７】
図３によれば、携帯端末１は、ハードウェアとして、デジタル放送受信部１００と、スピーカ１０１と、ディスプレイ１０２と、ユーザ操作部１０３とを有する。また、端末１は、復調部１１１と、イベント検出部１１２と、デマルチプレクサ１１３と、音声デコーダ部１１４と、映像デコーダ部１１５と、メモリ制御部１２１と、バッファメモリ１２２と、部分コンテンツ蓄積部１２３と、ダイジェストコンテンツ作成部１２４とを有する。これら機能構成部は、携帯端末に搭載されたコンピュータを機能させるプログラムを実行することによって実現される。
【００３８】
デジタル放送受信部１００は、アンテナによってデジタル放送信号を受信し、所定の周波数信号を抽出する。抽出されたデジタル放送信号は、復調部１１１へ出力される。復調部１１１は、デジタル放送信号を復調し、誤り訂正及びデスクランブルの処理を実行する。復調されたストリーミングコンテンツは、イベント検出部１１２へ出力される。
【００３９】
イベント検出部１１２は、ストリーミングコンテンツに多重化されているハイライトイベントを検出する。ストリーミングコンテンツは、デマルチプレクサ１１３及びバッファメモリ１２２へ出力される。ハイライトイベントは、メモリ制御部１２１へ出力される。
【００４０】
デマルチプレクサ１１３は、ストリーミングコンテンツについて音声データと映像データとに分離する。音声データは、音声デコーダ部１１４へ出力される。映像データは、映像デコーダ部１１５へ出力される。音声デコーダ部１１４は、音声データを復号し（例えばＭＰＥＧ−２ ＡＡＣ）、復号された音声を、スピーカ１０１へ出力する。映像デコーダ部１１５は、映像データを復号し（例えばＨ．２６４／ＭＰＥＧ−４ ＡＶＣ）、復号された映像を、ディスプレイ１０２へ出力する。
【００４１】
メモリ制御部１２１は、ハイライトイベントを取得した際に、バッファメモリ１２２へ、蓄積している部分コンテンツを部分コンテンツ蓄積部１２３へ出力するべく指示する。また、ハイライトイベントが、イベントタイトルを更に含む場合、メモリ制御部１２１は、イベントタイトルを関連付けて部分コンテンツを部分コンテンツ蓄積部１２３へ出力するべく指示する。
【００４２】
バッファメモリ１２２は、ストリーミングコンテンツを受信順に、ＦＩＦＯ形式で蓄積する小容量のメモリである。バッファメモリの容量は、例えば１０Ｍバイト程度である。バッファメモリ１２２から溢れた部分コンテンツは、破棄される。バッファメモリ１２２は、メモリ制御部１２１からの指示に応じて、当該バッファメモリに蓄積されている部分コンテンツを全て、部分コンテンツ蓄積部１２３へ出力する。
【００４３】
部分コンテンツ蓄積部１２３は、バッファメモリ１２２から出力された複数の部分コンテンツを蓄積する。
【００４４】
ダイジェストコンテンツ作成部１２４は、部分コンテンツ蓄積部１２３に蓄積された複数の部分コンテンツを時系列に連結し、ダイジェストコンテンツを生成する。また、ダイジェストコンテンツ作成部１２４は、ユーザ操作部１０３から、ユーザにイベントタイトルを指定させることもできる。これによって、ダイジェストコンテンツ作成部１２４は、ユーザによって指定されたイベントタイトルに一致する部分コンテンツのみを連結することができる。ユーザが所望するイベントタイトルのみもダイジェストコンテンツを作成することができる。
【００４５】
図４は、ＩＰデータキャストにおけるハイライトイベントの記述例である。
【００４６】
ハイライトイベント"highlight"は、ＤＴＤ(Document Type Definition)の<!DOCTYPE>によって定義される。"highlight"は、"(time,content)"の引数を有する。"time"は、注目時点（ハイライト）の時間間隔を指定することができる。"content"は、イベントタイトルを指定することができる。
【００４７】
図４（ａ）によれば、"channel=2"のストリームコンテンツについて、現時点が注目時点のハイライトであることを意味する。ここでは、イベントタイトルも定義されていない。このハイライトイベントを受信した時点で、メモリ制御部は、バッファメモリ１２２へ、蓄積している部分コンテンツを部分コンテンツ蓄積部１２３へ出力するべく指示する。
【００４８】
図４（ｂ）によれば、"channel=2"のストリームコンテンツについて、注目時間"21:35:00〜21:36:00"のハイライトであることを意味する。ここでは、イベントタイトル"日本チーム得点シーン"が定義されている。メモリ制御部は、バッファメモリ１２２へ、蓄積している21:35:00〜21:36:00の部分コンテンツを切り出し、その部分コンテンツを部分コンテンツ蓄積部１２３へ出力するべく指示する。また、その部分コンテンツには、「日本チーム得点シーン」というメタ情報を付与する。
【００４９】
図５は、地上波／衛星デジタル放送におけるハイライトイベントの記述例である。
【００５０】
図５（ａ）は、地上波／衛星デジタル放送におけるイベントメッセージの記述例である。この汎用イベントメッセージのデータ構造は、ARIB TR-B13及びTR-B14に規定されている。ハイライトイベントは、プライベートデータ部分(private_data_byte)に記述される。ここでは、ストリームコンテンツ"channel=3"について、注目時間"7:02:00〜7:03:30"であり、イベントタイトル"トップニュース"が記述されている。メモリ制御部は、バッファメモリ１２２へ、蓄積している7:02:00〜7:03:30の部分コンテンツを切り出し、その部分コンテンツを部分コンテンツ蓄積部１２３へ出力するべく指示する。また、その部分コンテンツには、"トップニュース"というメタ情報を付与する。
【００５１】
図５（ｂ）は、端末のＢＭＬ(Broadcast Markup Language)記述例である。この記述は、関数rec()を実行するためのものである。関数recは、getBrowserSupport()によってダイジェスト作成機能の有無を確認し、getResidentAppVersion()によってバージョンを確認する。そして、ダイジェストコンテンツを作成可能である場合、X_XXX_startResidentApp()によってダイジェストコンテンツ作成部を機能させる。
【００５２】
図６は、ダイジェストコンテンツの連結を表す説明図である。
【００５３】
図６によれば、部分コンテンツ蓄積部に、メタ情報"イングランドチーム得点シーン"の部分コンテンツと、メタ情報"日本チーム得点シーン"の部分コンテンツとが含まれている。ここで、ユーザが、ダイジェストコンテンツとしてイベントタイトル"日本チーム得点シーン"を指定したとする。この場合、メタ情報"日本チーム得点シーン"の部分コンテンツのみを連結したダイジェストコンテンツを作成する。これによって、視聴者は、所望のダイジェストコンテンツを作成することができる。
【００５４】
以上、詳細に説明したように、本発明の携帯端末、方法及びプログラムによれば、ダイジェスト編集のための部分コンテンツを逐次切り出すことができるので、小容量のメモリしか搭載していない携帯端末であっても、デジタル放送によるストリーミングコンテンツを容易に作成することができる。また、ストリーミングコンテンツの放送が終了する前であっても、その時点までのダイジェストコンテンツを視聴することができる。
【００５５】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５６】
１  携帯端末
１００  デジタル放送受信部
１０１  スピーカ
１０２  ディスプレイ
１０３  ユーザ操作部
１１１  復調部
１１２  イベント検出部
１１３  デマルチプレクサ
１１４  音声デコーダ部
１１５  映像デコーダ部
１２１  メモリ制御部
１２２  バッファメモリ
１２３  部分コンテンツ蓄積部
１２４  ダイジェストコンテンツ作成部
２  地上波放送アンテナ
３  放送衛星
４  放送局
【図１】
2010226434.tif 000003
【図２】
2010226434.tif 000004
【図３】
2010226434.tif 000005
【図４】
2010226434.tif 000006
【図５】
2010226434.tif 000007
【図６】
2010226434.tif 000008